(57)【要約】【課題】本発明の目的は、構成が簡単で小型軽量であり、対物レンズの観察光軸に対する観察角度変更の操作が素早く行える実体顕微鏡を提供することである。【解決手段】本発明の実体顕微鏡は、顕微鏡部１を有している。顕微鏡部１は、を対物レンズ１０１と左右一対の接眼レンズ２０３を有している。顕微鏡部１は、接眼レンズ２０３を保持する左右一対の可動ハウジング１１と対物レンズ１０１を保持する固定ハウジング１０とを有している。可動ハウジング１１は、対物レンズ１０１と接眼レンズ２０３とを結ぶ光軸を中心に回転可能に固定ハウジング１０に対し保持されている。可動ハウジング１１の回転中心軸は、対物レンズ１０１および接眼レンズ２０３の光軸に対し所定の角度を有している。可動ハウジング１１が回転したときに、対物レンズ１０１の光軸と接眼レンズ２０３の光軸とのなす角度は、相対的に変化する。【選択図】　　図２
2004070239.tif 000002
【特許請求の範囲】
【請求項１】
対物レンズと左右一対の接眼レンズを有する実体顕微鏡において、
接眼レンズを保持する左右一対の可動ハウジングと対物レンズを保持する固定ハウジングを有し、可動ハウジングは対物レンズと接眼レンズを結ぶ光軸を中心に回転可能に固定ハウジングに対し保持され、可動ハウジングの回転中心軸は対物レンズおよび接眼レンズの光軸に対し所定の角度を有し、可動ハウジングが回転したときに対物レンズの光軸と接眼レンズの光軸とのなす角度が相対的に変化する実体顕微鏡。
【請求項２】
前記可動ハウジングの回転中心軸と対物レンズの光軸および接眼レンズの光軸のなす角度が夫々略２２．５°である請求項１に記載の実体顕微鏡。
【請求項３】
少なくとも２つ以上の可動ハウジングを有する請求項１又は２に記載の実体顕微鏡。
【請求項４】
可動ハウジングが略１８０°回転したときに、対物レンズの光軸と接眼レンズのなす角度が相対的に切り替わる請求項１乃至３のいずれか１項に記載の実体顕微鏡。
【発明の詳細な説明】
【０００１】
【発明の属する技術分野】
本発明は、実体顕微鏡、特に手術用顕微鏡及び診断用顕微鏡に関する。
【０００２】
【従来の技術】
近年、外科手術では実体顕微鏡等の手術用顕微鏡を用いて手術が行われている。このような手術用顕微鏡は、観察角度を手術中に変更し得るものが考えられている。例えば、実公平４−３２９３号公報に記載の顕微鏡、及び特開平５−３４１２０１号公報に記載の顕微鏡などがある。この実公平４−３２９３号公報に記載の顕微鏡は、対物レンズを有している対物レンズユニットと、接眼レンズを有している接眼レンズユニットと、上記対物レンズユニットと接眼レンズユニットとを連結する偏角ユニットとを有している。
【０００３】
前記偏角ユニットは、対物レンズユニットからの光束を、対物レンズの光軸に対して傾斜させる。また、偏角ユニットは、対物レンズユニット並びに接眼レンズユニットと着脱自在である。
【０００４】
接眼レンズユニットは、偏角ユニット及び対物レンズユニットに着脱自在である。より具体的には、接眼レンズユニットは、偏角ユニットに、互いの光軸を一致させて取り付けられ得る。また、接眼レンズユニットは、対物レンズユニットに、互いの光軸を一致させて取り付けられ得る。
【０００５】
上記構成の実公平４−３２９３号公報に記載の顕微鏡は、対物レンズユニット、接眼レンズユニット、及び偏角ユニットにより構成された場合、対物レンズの光軸と傾斜した方向から観察し得る。また、上記構成から、偏角ユニットをはずした場合、上記顕微鏡は、対物レンズの光軸に沿った方向から観察し得る。このように上記公報の顕微鏡は、２つの観察方向を選択し得る。
【０００６】
特開平５−３４１２０１号公報に記載の顕微鏡は、前後方向に回動自在に構成された傾動ハウジングと、左右方向に開き回動自在に構成された一対の接眼レンズを有している双眼部と、光学機器からの光束を双眼部に導く光学系とを有している。前記光学系は、傾動ハウジング中に配置された可動ミラー、固定ミラー、及びプリズムを有している。可動ミラーは、前記光学機器からの光束を、前記固定ミラーに反射する。前記固定ミラーは、前記可動ミラーからの光束を前記プリズムに反射する。前記プリズムは、前記固定ミラーからの光束を２つに分割し、双眼部の接眼レンズの両方に光束を導く。
【０００７】
前記可動ミラーは、傾動ハウジング中のリンク機構に取り付けられている。前記可動ミラーは、傾動ハウジング中の前後方向の回動にあわせて回動される。なお、前記可動ミラーは、前記リンク機構により、前後方向の回動角度を、傾動ハウジングの前後方向に回動角度の１／２になるように調整される。このため、可動ミラーは、傾動ハウジングが前後方向に回動した場合においても、光学機器からの光束を前記固定ミラーに反射する。
【０００８】
上記構成により、このように上記特開平５−３４１２０１号公報の顕微鏡は、左右方向と、前後方向の任意の位置に、双眼部を移動させ、観察方向を選択し得る。
【０００９】
【発明が解決しようとする課題】
実公平４−３２９３号公報に記載の顕微鏡は、接眼レンズの観察角度を変更するために、偏角ユニットを有している。そのため、観察角度変更には偏角ユニットの着脱が必要である。このため、前記公報の顕微鏡は、観察角度の変更を素早く行えない。手術用顕微鏡や診断用顕微鏡では、観察角度の変更は手術や診断の進行に従い行われるものである。このため、前記着脱による手術の中断は、非常に煩わしく、前記着脱は、素早く行うことが要求されている。また手術用顕微鏡では滅菌のためドレープを使用することが一般的である。このため、ユニットの着脱の際にはドレープの付け替えが必要であり、更に手術の中断時間は長くなる。
【００１０】
また、特開平５−３４１２０１号公報に記載の顕微鏡は、可動ミラーの回動角度を調整するためのリンク機構を有している。このため、特開平５−３４１２０１号公報に記載の顕微鏡は、観察角度変更のための構成が複雑であり、装置の大型化や重量アップをまねく。手術用顕微鏡や診断用顕微鏡は、顕微鏡部を三次元的に移動させるためのアームが用いられており、顕微鏡部の重量アップはアームの操作性を著しく劣化させる。
【００１１】
本発明の目的は、構成が簡単で小型軽量であり、対物レンズの観察光軸に対する観察角度変更の操作が素早く行える実体顕微鏡を提供することである。
【００１２】
【課題を解決するための手段】
上記課題を鑑みて上記目的を達成するために本発明の実体顕微鏡は、以下の構成を有している。
【００１３】
本発明の一態様の実体顕微鏡は、
対物レンズと左右一対の接眼レンズを有する実体顕微鏡において、
接眼レンズを保持する左右一対の可動ハウジングと対物レンズを保持する固定ハウジングを有し、可動ハウジングは対物レンズと接眼レンズを結ぶ光軸を中心に回転可能に固定ハウジングに対し保持され、可動ハウジングの回転中心軸は対物レンズおよび接眼レンズの光軸に対し所定の角度を有し、可動ハウジングが回転したときに対物レンズの光軸と接眼レンズの光軸とのなす角度が相対的に変化する。
【００１４】
上記構成に示すように、上記可動ハウジングは、対物レンズ並びに接眼レンズの光軸に対して異なる角度に傾斜している回転軸を有している。このため、実体顕微鏡は、前記可動ハウジングを前記回動軸回りに回すことにより、対物レンズの光軸と接眼レンズの光軸とのなす角度を相対的に変化させ得る。このため、本発明の実体顕微鏡は、構成が簡単で小型軽量であり、対物レンズの観察光軸に対する観察角度変更の操作が素早く行い得る。
【００１５】
【発明の実施の形態】
以下、図面を参照しながら本発明の実施の形態の実体顕微鏡について説明する。
【００１６】
（第１の実施の形態）
＜構成＞
まず、第一の実施の形態に従った実体顕微鏡ついて図１及び図２を用いて説明する。図１は、本実施の形態に従った実体顕微鏡である手術用顕微鏡の全体を示す図である。図２は、図１の手術用顕微鏡の顕微鏡部１を示す断面図である。
【００１７】
まず、図１を参照して手術用顕微鏡の構成を説明する。手術用顕微鏡は、術部（観察対象の物体面）を観察するための顕微鏡部１と、顕微鏡部１を支持する架台部２とを有している。
【００１８】
架台部２は、顕微鏡部１を上下方向に移動させるためのパンタグラフアーム３と、顕微鏡部１を水平方向に移動させるための水平アーム４と、水平アーム４を支持する支柱ベース５とを有している。
【００１９】
ここで、パンタグラフアーム３は、その一端部で顕微鏡部１を回動可能に支持している。また、パンタグラフアーム３の他端部は、垂直面（図１の紙面と平行な面）上で回動可能な状態で水平アーム４に支持されている。このため、パンタグラフアーム３は、顕微鏡部１を上下方向に移動可能である。
【００２０】
また、水平アーム４は、その一端部で上述のとおりパンタグラフアーム３の他端部を支持している。また、水平アーム４の他端部は、水平面（図１の紙面と直交する面）上で回動可能な状態で支柱ベース５に支持されている。このため、水平アーム４は、パンタグラフアーム３を介して接続されている顕微鏡部１を左右方向に移動可能である。
【００２１】
支柱ベース５は、一端と他端とを有している。支柱ベース５の一端部は、上述のように水平アーム４を支持している。支柱ベース５の他端部は、複数の車輪を備えている台車部６を有している。このため、架台部２は、床面に沿って移動可能に構成されている。
【００２２】
続いて、図２を参照して顕微鏡部１の構成を説明する。なお、顕微鏡部１は、上述のように実体顕微鏡である。しかしながら図２中において説明のために、顕微鏡部１が有する左右一対の光路のうちの片側一方のみの構成が示されているが、他方側の構成も前記一方側と同様に構成されている。
【００２３】
顕微鏡部１は、固定ハウジング１０と、一対の可動ハウジング１１とを有している。
固定ハウジング１０は、回転保持機構１２ａを有している。可動ハウジング１１は、この回転保持機構１２ａにより、後述する回転軸３０ａを中心として、固定ハウジング１０に対して回転可能に保持されている。
【００２４】
また、固定ハウジング１０は、自身の内部に、対物レンズ１０１、一対のズームレンズ１０２，一対のミラー３０２、及び一対のミラー３０３が、前記術部側から順次配置されている。なお、上記一対のズームレンズ１０２，及び一対のミラー３０２、３０３は、夫々左右の光路に沿って１つづつ配置されている。また、対物レンズ１０１は、前記観察対象の物体（前記術部）からの光束を、左右一対のズームレンズ１０２のそれぞれに入射させる。このように、固定ハウジング１０は、対物レンズ１０１に入射した光束を、ズームレンズ１０２，ミラー３０２，並びに３０３を介して、自身から出射し得るように構成されている。
【００２５】
ズームレンズ１０２は、対物レンズ１０１からの光束を結像するとともに、結像した像を所望の倍率に変倍する。なお、対物レンズ１０１の光軸と、ズームレンズ１０２の光軸とは、実質的に平行である。このズームレンズ１０２から出射された光束は、ミラー３０２により、ズームレンズ１０２の光軸に直交する方向に反射される。言い換えると、ミラー３０２は、ズームレンズ１０２からの光束を、対物レンズ１０１の光軸と直交する方向に反射する。
【００２６】
そして、ミラー３０２により反射された光束は、ミラー３０３により、ズームレンズ１０２の光軸に対して所定の角度θａの分だけ傾斜した方向に反射される。言い換えると、ミラー３０３は、ミラー３０２により反射された光束を、対物レンズ１０１の光軸に対して所定の角度θａの分だけ傾斜した方向に反射する。
【００２７】
一方、一対の可動ハウジング１１は、夫々前記左右光路の夫々に対応して配置されている。各可動ハウジング１１は、自身の内部に、ミラー２０１並びに２０２、及び、接眼レンズ２０３が、前記術部側から順次配置されており、前記左右光路の夫々において、ミラー２０１に入射した光束を、ミラー２０２を介して接眼レンズ２０３より出射するように構成されている。
【００２８】
ミラー３０３が反射した光束は、ミラー２０１により、可動ハウジング１１の内部で、ミラー２０１とミラー３０３との間の光軸に対して直交する方向に反射される。ミラー２０２は、ミラー２０１により反射された光束の光路上に配置されている。そして、ミラー２０２は、ミラー２０１からの光束を、ミラー２０１とミラー３０３との間の光軸に対して所定の角度θｂの分だけ傾斜した方向に反射する。
【００２９】
接眼レンズ２０３は、ミラー２０２の光軸上に配置されている。このため、観察者は、この接眼レンズ２０３によって、観察対象（前記術部）を観察することが可能である。
【００３０】
上記固定ハウジング１０は、上述のように回転保持機構１２ａにより回転可能に可動ハウジング１１を保持している。より具体的には、固定ハウジング１０は、可動ハウジング１１との間に設けられた回転保持機構１２ａの回転軸３０ａを中心軸として、可動ハウジング１１を回転可能に保持している。この回転軸３０ａは、ミラー３０３とミラー２０１との間の光軸と一致している。従って、この回転軸３０ａは、対物レンズ１０１の光軸に対して所定の角度θａだけ傾斜している。なお、この角度θａは、２２．５°に設定されている。また、前述の角度θｂもθａと同一の角度である２２．５°に設定されている。
【００３１】
また、顕微鏡部１は、前記術部を照明するための照明光学系（図示せず）を有している。
【００３２】
＜作用＞
本実施の形態による顕微鏡部１では、その使用準備として、観察者は左右一対の接眼レンズ２０３を眼幅に合わせる眼幅調整を行う。この眼幅調整では、可動ハウジング１１を回転軸３０ａ周りに回転させることにより、一対の接眼レンズ２０３の光軸の相対位置が、調整される。
【００３３】
次に、前記照明光学系が、観察対象（術部）に照明光を照射し、その反射光が、顕微鏡部１に入射する。具体的には、前記反射光は、対物レンズ１０１に入射し、左右一対のズームレンズ１０２、それぞれ左右一対のミラー３０２、３０３、２０１、２０２を介して、左右一対の接眼レンズ２０３に導かれる。前記顕微鏡部１は、このように観察対象からの光束を前記接眼レンズに導き、観察者に拡大観察を可能にする。
【００３４】
可動ハウジング１１が図２中の実線で示した位置にある場合では、接眼レンズ２０３の観察角度は、対物レンズ１０１の光軸に対して４５°となる。すなわち、この際には、接眼レンズ２０３の光軸は、紙面上（つまり断面図上）を左側へ所定の角度θａとθｂとを合わせた角度である４５°の分だけ、対物レンズ１０１の光軸に対して傾斜している。このため、観察者は、対物レンズ１０１の光軸に対して、４５°傾斜した位置から、術部を観察可能である。
【００３５】
そして、手術の進行に伴い、接眼レンズ２０３の観察角度を変更する場合には、図２中の破線で示したように、可動ハウジング１１が、回転軸３０ａ周りに１８０°回転される。そして、この回転に伴って、接眼レンズ２０３も回動軸３０ａ周りに１８０°回転する。これにより、接眼レンズ２０３の観察角度は、対物レンズ１０１の光軸に対して０°となる。すなわち、この際には、観察者は、接眼レンズ２０３の光軸を対物レンズ１０１の光軸と平行にした状態で観察可能である。
【００３６】
＜効果＞
このような本実施の形態によれば、接眼レンズ２０３を有する可動ハウジング１１を回転させるだけで、接眼レンズ２０３の観察角度が変更できる。このため、顕微鏡部１は、観察角度の変更操作が簡単であり、顕微鏡部１にドレープが被さった状態であっても接眼レンズ２０３の観察角度の変更が素早く行える。また、本実施の形態における顕微鏡部１は、複雑な構成がないため、小型軽量化を実現できる。さらに、接眼レンズ２０３の観察角度を変更するための回転軸３０ａ周りに可動ハウジング１１を回転させることで眼幅調整を行える。このため、顕微鏡部１は、眼幅調整するための特別な機構を別途設けることなく、接眼レンズ２０３の眼幅調整が可能である。このため、本実施の形態における顕微鏡部１は、より小型軽量化を実現できる。
【００３７】
（第２の実施の形態）
＜構成＞
図３及び図４は本発明の第２の実施の形態に係り、図３は第２の実施の形態の手術用顕微鏡の顕微鏡部１を示し、図４は図３の顕微鏡部１の観察角度を変更した状態を示す断面図である。ここで、図３及び図４では、顕微鏡部１が有する左右一対の光路のうちの片側一方のみの構成を示しているが、他方側も同様の構成を有している。また、本実施の形態の顕微鏡部１において、第１の実施の形態と同様の構成には同一の番号を付与し、詳細な説明は省略する。
【００３８】
以下、図３を参照して第２の実施の形態の顕微鏡部１の構成を説明する。本実施の形態における顕微鏡部１は、固定ハウジング１０、眼幅ハウジング１４及び可動ハウジング１７を有している。そして、本実施の形態における顕微鏡部１は、第１の実施の形態におけるミラー３０２の代りに、眼幅ハウジング１４の内部に、プリズム３０４が設けられており、またミラー３０３も眼幅ハウジング１４の内部に設けられている。さらに、本実施の形態において、第１の実施の形態におけるミラー２０１及び２０２の代りに、可動ハウジング１７の内部に、プリズム２０４が設けてられている。
【００３９】
ここで、眼幅ハウジング１４は、第１の回転保持機構１２ｂにより、第１の回転軸３０ｂを中心に固定ハウジング１０に対して回転可能に保持されている。第１の回転軸３０ｂは、ズームレンズ１０２の光軸と同一直線上に配置されている。また、可動ハウジング１７は、第２の回転保持機構１２ｃにより、第２の回転軸３０ｃを中心として、眼幅ハウジング１４に対して回転可能に保持されている。つまり、眼幅ハウジング１４は、第１の回転軸３０ｂを中心として回転する第１の可動ハウジングとして機能し、可動ハウジング１７が第２の回転軸３０ｃを中心として回転する第２の可動ハウジングとして機能している。
【００４０】
＜作用＞
本実施の形態による顕微鏡部１において、眼幅調整は、眼幅ハウジング１４を、第１の回転軸３０ｂを中心に固定ハウジング１０に対して回転させることにより行われる。また、接眼レンズ２０３の観察角度を変更する場合には、図４に示されるように、第２の回転軸３０ｃを中心として可動ハウジング１７を眼幅ハウジング１４に対して１８０°回転させる。これにより、本実施の形態の顕微鏡部１は、第１の実施の形態と同様に、接眼レンズ２０３の観察角度を変更して観察可能となる。
【００４１】
＜効果＞
本実施の形態の顕微鏡部１では、可動ハウジング１７の第２の回転軸３０ｃを接眼レンズ２０３の光軸の近傍に位置させることができる。このことにより、観察角度変更時のアイポイントの移動が小さく、また顔の移動が僅かで済む。このため、観察者の検鏡姿勢の変更を極めて抑えることができる。
【００４２】
（第３の実施の形態）
＜構成＞
図５乃至図７は本発明の第３の実施の形態に係り、図５は第３の実施の形態の手術用顕微鏡の顕微鏡部１を示し、図６は図５の顕微鏡部１の観察角度を変更した状態を示す断面図を示し、図７は図５の顕微鏡部１の観察角度をさらに変更した状態を示す断面図である。ここで、図５乃至図７では、顕微鏡部１が有する左右一対の光路のうちの片側一方のみの構成を示しているが、他方側も同様の構成を有している。また、本実施の形態の顕微鏡部１において、第１及び第２の実施の形態と同様の構成には同一の番号を付与し、詳細な説明は省略する。
【００４３】
以下、図５を参照して第３の実施の形態の顕微鏡部１の構成を説明する。本実施の形態における顕微鏡部１は、固定ハウジング１０、第１の可動ハウジング１９及び第２の可動ハウジング２１を有している。そして、本実施の形態の固定ハウジング１０は、第２の実施の形態の固定ハウジング１０中の構成部材に加えて、ズームレンズ１０２の後段にプリズム３０５をさらに備えている。
【００４４】
また、本実施の形態において、眼幅ハウジング１４の内部に設けられたプリズム３０４及びミラー３０３の代りに、第１の可動ハウジング１９の内部にミラー３０６及び３０７が設けられている。さらに、本実施の形態において、第２の実施の形態における可動ハウジング１７の内部に設けられたプリズム２０４の代りに、第２の可動ハウジング２１の内部には、プリズム２０４が設けられている。
【００４５】
プリズム３０５は、ズームレンズ１０２からの光束を、対物レンズ１０１の光軸に対して、所定の角度θｃの分だけ傾斜した方向に出射する。さらに、第１の可動ハウジング１９の内部において、プリズム３０５から出射された光束は、ミラー３０６により、対物レンズ１０１の光軸と平行な直線上に反射される。ミラー３０７は、ミラー３０６の光軸上に配置されている。ミラー３０７は、ミラー３０６により反射された光束を、プリズム３０５とミラー３０６との間の光軸に対して後述する所定の角度θａ’の分だけ傾斜した方向に反射し、第２の可動ハウジング２１の内部に設けられたプリズム２０４に入射させる。また、プリズム２０４に入射された光束は、ミラー３０７とこのプリズム２０４との間の光軸に対して、所定の角度θｂの分だけ傾斜させた方向に出射するように構成されている。なお、ここでのθｂは、４５°に設定されている。
【００４６】
ここで、固定ハウジング１０は、第１の回転保持機構１２ｄにより、第１の回転軸３０ｄを中心軸として、第１の可動ハウジング１９を回転可能に保持している。この第１の回転軸３０ｄは、対物レンズ１０２の光軸に対して所定の角度θｃの分だけ傾斜しており、プリズム３０５とミラー３０６との間の光軸と同一直線上に配置されており、ここでの角度θｃは４５°に設定されている。
【００４７】
さらに、第１の可動ハウジング１９は、第２の回転保持機構１２ｅにより、第２の回転軸３０ｅを中心軸として、第２の可動ハウジング２１を回転可能に保持している。ここで、この第２の回転軸３０ｅは、ミラー３０７とプリズム２０４との間の光軸と同一直線上に設けられている。なお、このミラー３０７とプリズム２０４との間の光軸は、第１の回転軸３０ｄに対して所定の角度θａ’の分だけ傾斜している。つまり、第２の回転軸３０ｅは、第１の回転軸３０ｄに対して、所定の角度θａ’の分だけ傾斜しており、ここでの角度θａ’は１５°に設定されている。
【００４８】
＜作用＞
本実施の形態による顕微鏡部１において、接眼レンズ２０３の観察角度を変更する場合には、図６に示されるように、第２の回転軸３０ｅを中心として第２の可動ハウジング２１を第１の可動ハウジング１９に対して１８０°回転させることによって行われる。これによれば、接眼レンズ２０３の観察角度は、図５に示される状態では、紙面上を左側へ所定の角度θａ’、θｂ及びθｃを合わせた角度である１０５°の分だけ対物レンズ１０１の光軸に対して傾斜していたのに対して、図６に示した状態では、紙面上を左側へ１５°の分だけ対物レンズ１０１の光軸に対して傾斜するようになる。さらに、第２の可動ハウジング２１の回転よっても接眼レンズ２０３の観察角度の変更範囲が不足し、観察者が所望する観察角度が得られていない場合には、図７に示されるように、図５に示される状態から第１の回転軸３０ｄを中心として第１の可動ハウジング１９を固定ハウジング１０に対して１８０°回転させることによって、さらなる観察角度の変更が可能となっている。そして、これによれば、接眼レンズ２０３の観察角度は、図７に示した状態では、紙面上を右側へ１５°の分だけ対物レンズ１０１の光軸に対して傾斜するようになる。なお、図６に示した状態から第１の回転軸３０ｄを中心として第１の可動ハウジング１９を固定ハウジング１０に対して１８０°回転させることによっても、観察角度の変更が可能となっていることは言うまでもない。
【００４９】
＜効果＞
このような本実施の形態によれば、第１の可動ハウジング１９、第２の可動ハウジング２１を同時に、又は別々に回転させることができるので、接眼レンズ２０３の観察角度を４通りの中から選択できる。このため、本実施の形態の顕微鏡部１は、観察者の観察姿勢の自由度をより一層向上させることができる。なお、本実施の形態の顕微鏡部１において、より多くの回転軸と可動ハウジングを設けたり、また、各回転軸間のなす角度を適宜変更したりすることにより、さらに任意の観察角度を設定できることは言うまでもない。
【００５０】
【発明の効果】
本発明により、簡単な構成で接眼レンズの観察角度が観察出来るため、小型軽量で且つ操作性の良い実体顕微鏡が提供できる。
【図面の簡単な説明】
【図１】図１は、第１の実施の形態の手術用顕微鏡を示す斜視図である。
【図２】図２は、図１の顕微鏡部を示す断面図である。
【図３】図３は、第２の実施の形態に従った顕微鏡部を示す断面図である。
【図４】図４は、観察角度を変更後の図３の顕微鏡部を示す断面図である。
【図５】図５は、第３の実施の形態に従った顕微鏡部を示す断面図である。
【図６】図６は、観察角度を変更後の図５の顕微鏡部を示す断面図である。
【図７】図７は、観察角度を変更後の図５の顕微鏡部を示す断面図である。
【符号の説明】
θａ、θｂ、θｃ　角度
１　顕微鏡部
２　架台部
３　パンタグラフアーム
４　水平アーム
５　支柱ベース
６　台車部
１０　固定ハウジング
１１、１７　可動ハウジング
１４　眼幅ハウジング
１９　第１可動ハウジング
２１　第２可動ハウジング
３０ａ，３０ｂ、３０ｃ、３０ｄ、３０ｅ　回転軸
１０１　対物レンズ
１０２　ズームレンズ
２０３　接眼レンズ
２０４、３０４、３０５　プリズム
２０１、２０２、３０２、３０３、３０６、３０７　ミラー
【図１】
2004070239.tif 000003
【図２】
2004070239.tif 000004
【図３】
2004070239.tif 000005
【図４】
2004070239.tif 000006
【図５】
2004070239.tif 000007
【図６】
2004070239.tif 000008
【図７】
2004070239.tif 000009